(57)【要約】【課題】コスト増加を抑制しつつ、運転者がエンジンの一時的な停止条件を満足しているか否かを判断する。【解決手段】メータＥＣＵは、エンジンの冷却水温がエコラン許可水温よりも大きくないと（Ｓ１０００にてＮＯ）、水温警告灯を点灯するステップ（Ｓ１１００）と、冷却水温がエコラン許可水温よりも大きく（Ｓ１０００にてＹＥＳ）、アイドリングストップが許可されると（Ｓ１２００にてＹＥＳ）、水温警告灯を消灯するステップ（Ｓ１３００）とを含む、プログラムを実行する。【選択図】図３
2010001023.tif 000002
【特許請求の範囲】
【請求項１】
車両の状態が予め定められた条件を満足するとエンジンを一時的に停止するアイドリングストップシステムを搭載した車両の表示装置であって、
前記車両の運転席に対向する位置に設けられ、前記エンジンの冷却水温に応じて情報を表示するための表示手段と、
前記冷却水温が予め定められた第１の温度より高くなり、かつ、前記車両の状態が前記予め定められた条件を満足すると、前記エンジンの一時的な停止を許可するための許可手段と、
前記冷却水温が少なくとも前記第１の温度以上の第２の温度より低いと、前記情報を表示するように前記表示手段を制御するための制御手段とを含み、
前記制御手段は、前記冷却水温が前記第２の温度より高いと、前記表示を停止させるように前記表示手段を制御するための手段を含む、車両の表示装置。
【請求項２】
前記第１の温度と前記第２の温度とは同じである、請求項１に記載の車両の表示装置。
【請求項３】
前記表示手段は、前記エンジンの状態を表示する１つのマークに対して、少なくとも２つの態様で表示するための手段を含み、
前記制御手段は、
前記冷却水温が前記第１の温度より低いと、第１の態様で表示するように前記表示手段を制御するための手段と、
前記エンジンの一時的な停止が許可されると、前記第１の態様と異なる第２の態様で表示するように前記表示手段を制御するための手段とを含む、請求項１に記載の車両の表示装置。
【請求項４】
前記表示手段は、前記エンジンの状態を表示する１つのマークに対して、少なくとも２つの色を発光するための手段を含み、
前記制御手段は、
前記冷却水温が前記第１の温度より低いと、第１の色で表示するように前記表示手段を制御するための手段と、
前記エンジンの一時的な停止が許可されると、前記第１の色と異なる第２の色で表示するように前記表示手段を制御するための手段とを含む、請求項１に記載の車両の表示装置。
【請求項５】
前記表示手段は、水温警告灯である、請求項１〜４のいずれかに記載の車両の表示装置。
【発明の詳細な説明】
【技術分野】
【０００１】
本発明は、車両の表示装置に関し、特に車両に搭載されたエンジンの状態を表示する表示装置に関する。
【背景技術】
【０００２】
地球温暖化の防止や省資源化の観点から、交差点等において赤信号で車両が停車するとエンジンを自動的に停止させて、再び走行を始めようと運転者が操作すると（たとえばアクセルペダルを踏んだり、あるいはブレーキペダルの踏み込みをやめたりするなどの操作を行なうと）、エンジンが再始動するアイドリングストップシステム（エコノミーランニングシステム、エンジンオートマチックストップアンドスタートシステムとも呼ばれる。以下の説明において、アイドリングストップシステムは、エコランシステムとも記載する。）が実用化されている。
【０００３】
このようなアイドリングストップシステムが搭載された車両においては、予め定められた停止条件を満足すると、エンジンを停止させる制御が行なわれる。しかしながら、運転者は、車両の状態が予め定められた停止条件が満足している状態であるか否かを判断することができない。そこで、このような問題に鑑みて、たとえば、特開２００４−６８６７５号公報（特許文献１）は、エンジンの自動停止あるいは自動始動に伴う運転者の違和感のより適切な排除を図ることのできるエンジン自動停止始動機能付車両の情報報知装置を開示する。この情報報知装置は、所定の停止条件のもとに車載エンジンを一時的に自動停止させ、所定の再始動条件のもとにエンジンを再始動させるエンジン自動停止始動機能を備えた車両にあってそれらエンジンの自動停止や再始動にかかる情報を報知する装置である。情報報知装置は、エンジンの運転中、所定の停止条件のうちの特定条件の判定に用いる判定パラメータに基づいて条件が成立するまでに要する時間を推定し、推定した時間を報知する。
【０００４】
特許文献１に開示された情報報知装置によると、運転者が把握することの困難な要因によってエンジンを自動停止することができないときに、その要因が解消されるようになるまでの時間、すなわちエンジンが一時的に自動停止されるようになるまでの時間を推定した上で、同時間を運転者に報知することができるようになる。これにより、エンジンが一時的に自動停止されると推定されるタイミングを予め運転者に知らしめて、その自動停止に伴う運転者の違和感についての適切な排除を図ることができるようになる。
【先行技術文献】
【特許文献】
【０００５】
【特許文献１】特開２００４−６８６７５号公報
【発明の概要】
【発明が解決しようとする課題】
【０００６】
ところで、車両の運転席には、エンジンの冷却水温の状態を表示する表示装置が設けられる。一方、エンジンの一時的な停止を許可する予め定められた停止条件は、エンジンの冷却水温についての条件を含む。すなわち、再始動性能の確保および排気性能の確保のため、エンジンの暖機が完了していない状態においては、エンジンの一時的な停止は許可されないようにエンジンが制御される場合がある。
【０００７】
しかしながら、運転者は、表示装置からエンジンの冷却水温が予め定められた条件を満足しているか否かを判断することはできないという問題がある。そこで、エンジンの冷却水温が予め定められた条件を満足しているか否かを示す表示装置を新たに設けるようにすると、それに起因したコスト増加、新たな表示装置の搭載スペースの確保、あるいは、表示装置の構造が複雑化するという問題がある。
【０００８】
特許文献１においては、アイドリングストップを開始するまでの時間を表示するための新たな表示装置を設ける必要があり、上述の問題が発生する。
【０００９】
本発明は、上述の課題を解決するためになされたものであって、その目的は、コスト増加を抑制しつつ、運転者がエンジンの一時的な停止条件を満足しているか否かを判断できる車両の表示装置を提供することである。
【課題を解決するための手段】
【００１０】
第１の発明に係る車両の表示装置は、車両の状態が予め定められた条件を満足するとエンジンを一時的に停止するアイドリングストップシステムを搭載した車両の表示装置である。表示装置は、車両の運転席に対向する位置に設けられ、エンジンの冷却水温に応じて情報を表示するための表示手段と、冷却水温が予め定められた第１の温度より高くなり、かつ、車両の状態が予め定められた条件を満足すると、エンジンの一時的な停止を許可するための許可手段と、冷却水温が少なくとも第１の温度以上の第２の温度より低いと、情報を表示するように表示手段を制御するための制御手段とを含む。制御手段は、冷却水温が第２の温度より高いと、表示を停止させるように表示手段を制御するための手段を含む。
【００１１】
第１の発明によると、冷却水温が予め定められた第１の温度（たとえば、エコラン許可水温）より高くなり、かつ、車両の状態が予め定められた条件を満足すると、エンジンの一時的な停止、すなわち、アイドリングストップが許可される。制御手段は、冷却水温が第２の温度（たとえば、暖機の完了を示す温度）よりも低いと、情報（たとえば、冷却水温が低いこと示す情報）を表示するように表示手段（たとえば、水温警告灯）を制御する。制御手段は、冷却水温が第２の温度より高くなると、情報の表示を停止させるように表示手段を制御する。表示手段は、車両の運転席に対向する位置に設けられるため、運転者は、表示手段において情報が表示されていると、暖機が完了していないことがわかる。また、運転者は、表示手段において情報の表示が停止されると、エンジンの冷却水温について、アイドリングストップが許可されている状態であり、さらにエンジンの暖機が完了したことがわかる。また、表示手段として、たとえば、水温警告灯を流用することができるため、新たに表示装置を設ける必要がなく、コストおよび搭載スペースの増加を抑制することができる。したがって、コスト増加を抑制しつつ、運転者がエンジンの一時的な停止条件を満足しているか否かを判断できる車両の表示装置を提供することができる。
【００１２】
第２の発明に係る車両の表示装置においては、第１の発明の構成に加えて、第１の温度と第２の温度とは同じである。
【００１３】
第２の発明によると、第１の温度と第２の温度とは同じである。すなわち、制御手段は、検知された冷却水温が第１の温度よりも低いと、情報（たとえば、冷却水温が低いことを示す情報）を表示するように表示手段（たとえば、水温警告灯）を制御する。制御手段は、検知された冷却水温が第１の温度よりも高くなると、表示手段による情報の表示が停止するように制御される。表示手段は、車両の運転席に対向する位置に設けられるため、運転者は、表示手段における情報の表示が停止されると、エンジンの冷却水温について、アイドリングストップが許可されている状態であり、さらにエンジンの暖機が完了したことがわかる。
【００１４】
第３の発明に係る車両の表示装置においては、第１の発明の構成に加えて、表示手段は、エンジンの状態を表示する１つのマークに対して、少なくとも２つの態様で表示するための手段を含む。制御手段は、冷却水温が第１の温度より低いと、第１の態様で表示するように表示手段を制御するための手段と、エンジンの一時的な停止が許可されると、第１の態様と異なる第２の態様で表示するように表示手段を制御するための手段とを含む。
【００１５】
第３の発明によると、表示手段（たとえば、水温警告灯）は、エンジンの状態を表示する１つのマークに対して、少なくとも２つの態様で表示する。制御手段は、検知された冷却水温が第１の温度より低いと、第１の態様（たとえば、点灯状態）で情報（たとえば、水温警告灯のマーク）を表示する。制御手段は、検知されたエンジンの冷却水温が第１の温度より高くなると、すなわち、アイドリングストップが許可されると、第１の態様と異なる第２の態様（たとえば、点滅状態）で情報を表示する。制御手段は、検知されたエンジンの冷却水温が第２の温度より高くなると、情報の表示を停止する。表示手段は、車両の運転席に対向する位置に設けられるため、運転者は、表示手段において第１の態様で情報が表示されていると、アイドリングストップが禁止されている状態であり、かつ、エンジンの暖機が完了していない状態であることがわかる。また、運転者は、表示手段において、第２の態様で情報が表示されていると、アイドリングストップが許可されている状態であり、かつ、エンジンの暖機が完了していない状態であることがわかる。また、運転者は、表示手段による情報の表示が停止されると、アイドリングストップが許可されている状態であり、かつエンジンの暖機が完了している状態であることがわかる。冷却水温に応じて、１つのマークにおいて表示の態様を異なるようにすることにより、エンジンの暖機状態と、アイドリングストップが許可されている状態であるか否かを表示することができる。そのため、新たに表示装置を設ける必要がないため、コスト増加を抑制し、新たな表示装置を搭載するスペースを確保する必要もない。
【００１６】
第４の発明に係る車両の表示装置においては、第１の発明の構成に加えて、表示手段は、エンジンの状態を表示する１つのマークに対して、少なくとも２つの色を発光するための手段を含む。制御手段は、冷却水温が第１の温度より低いと、第１の色で表示するように表示手段を制御するための手段と、エンジンの一時的な停止が許可されると、第１の色と異なる第２の色で表示するように表示手段を制御するための手段とを含む。
【００１７】
第４の発明によると、表示手段（たとえば、水温警告灯）は、エンジンの状態を表示する１つのマークに対して、少なくとも２つの色を発光する。制御手段は、検知されたエンジンの冷却水温が第１の温度より低いと、第１の色で情報（たとえば、水温警告灯のマーク）を表示する。制御手段は、検知されたエンジンの冷却水温が第１の温度より高くなると、すなわち、アイドリングストップが許可されると、第１の色と異なる第２の色で情報を表示する。制御手段は、検知されたエンジンの冷却水温が第２の温度より高くなると、情報の表示を停止する。表示手段は、車両の運転席に対向する位置に設けられるため、運転者は、表示手段において第１の色で情報が表示されていると、アイドリングストップが禁止されている状態であり、かつ、エンジンの暖機が完了していない状態であることがわかる。また、運転者は、表示手段において、第２の色で情報が表示されていると、アイドリングストップが許可されている状態であり、かつ、エンジンの暖機が完了していない状態であることがわかる。また、運転者は、表示手段による情報の表示が停止されると、アイドリングストップが許可されている状態であり、かつエンジンの暖機が完了している状態であることがわかる。冷却水温に応じて、１つのマークにおいて発光する色を異なるようにすることにより、エンジンの暖機状態と、アイドリングストップが許可されている状態であるか否かを表示することができる。そのため、新たに表示装置を設ける必要がないため、コスト増加を抑制し、新たな表示装置を搭載するスペースを確保する必要もない。
【００１８】
第５の発明に係る車両の表示装置においては、第１〜４のいずれかの発明の構成に加えて、表示手段は、水温警告灯である。
【００１９】
第５の発明によると、１つの水温警告灯により、エンジンの暖機状態と、アイドリングストップが許可されている状態であるか否かを表示することができる。そのため、新たに表示装置を設ける必要がないため、コスト増加を抑制し、新たな表示装置を搭載するスペースを確保する必要もない。
【００２０】
第６の発明に係る車両の表示装置は、車両の状態が予め定められた条件を満足するとエンジンを一時的に停止するアイドリングストップシステムを搭載した車両の表示装置である。表示装置は、エンジンの冷却水温を検知するための検知手段と、冷却水温が予め定められた温度よりも高くなり、かつ、車両の状態が予め定められた条件を満足すると、エンジンの一時的な停止を許可するための許可手段と、車両の運転席に対向する位置に設けられ、検知された冷却水温に対応する領域を指し示すように変化する表示手段とを含む。表示手段には、予め定められた温度よりも低い領域が強調して表示される。
【００２１】
第６の発明によると、冷却水温が予め定められた第１の温度より高くなり、かつ、車両の状態が予め定められた条件を満足すると、アイドリングストップが許可される。表示手段（たとえば、冷却水温の水温計）は、車両の運転席に対向する位置に設けられる。表示手段は、検知された冷却水温に対応する領域を指し示すように変化する。表示手段には、予め定められた温度よりも低い領域が強調して表示される。表示手段は、車両の運転席に対向する位置に設けられるため、運転者は、表示手段により指し示される冷却水温に対応する領域が予め定められた温度より低い、強調された領域であると、アイドリングストップが禁止されている状態であることがわかる。また、運転者は、表示手段により指し示される冷却水温に対応する領域が予め定められた温度よりも高い、強調されていない領域になると、冷却水温について、アイドリングストップが許可されている状態であることがわかる。また、表示手段として、水温計を流用することができるため、新たに表示装置を設ける必要がなく、コストの増加を抑制することができる。したがって、コスト増加を抑制しつつ、運転者がエンジンの一時的な停止条件を満足しているか否かを判断できる車両の表示装置を提供することができる。
【００２２】
第７の発明に係る車両の表示装置においては、第６の発明の構成に加えて、表示手段は、水温計である。
【００２３】
第７の発明によると、１つの水温計により、エンジンの暖機状態と、アイドリングストップが許可されている状態であるか否かを表示することができる。そのため、新たに表示装置を設ける必要がないため、コストの増加を抑制し、新たな表示装置を搭載するスペースを確保する必要もない。
【図面の簡単な説明】
【００２４】
【図１】第１の実施の形態に係る車両の構成を示す図である。
【図２】第１の実施の形態に係るコンビネーションメータの構成を示す図である。
【図３】第１の実施の形態に係る車両の表示装置であるコンビネーションメータのメータＥＣＵで実行されるプログラムの制御構造を示すフローチャートである。
【図４】第１の実施の形態の変形例に係る車両の表示装置であるコンビネーションメータのメータＥＣＵで実行されるプログラムの制御構造を示すフローチャートである。
【図５】第２の実施の形態に係る車両の表示装置であるコンビネーションメータのメータＥＣＵで実行されるプログラムの制御構造を示すフローチャートである。
【図６】第３の実施の形態に係る車両の表示装置であるコンビネーションメータのメータＥＣＵで実行されるプログラムの制御構造を示すフローチャートである。
【図７】第４の実施の形態に係る車両の構成を示す図である。
【図８】水温メータの構成を示す図である。
【発明を実施するための形態】
【００２５】
以下、図面を参照しつつ、本発明の実施の形態に係る車両の表示装置について説明する。以下の説明では、同一の部品には同一の符号を付してある。それらの名称および機能も同じである。したがってそれらについての詳細な説明は繰返さない。
【００２６】
＜第１の実施の形態＞
図１を参照して、本発明の実施の形態に係る表示装置であるコンビネーションメータ１０００が搭載される車両におけるエコランシステムについて説明する。なお、本実施の形態において、エコランシステムが搭載される車両の変速機は、自動変速機であってもよいし、手動変速機であってもよいものとする。
【００２７】
このエコランシステムにおける制御対象であるハードウェア系として、エンジン１００と、エンジン１００を始動および再始動（イグニッションスイッチによるエンジン１００の作動開始を始動、エコランによる一時停止後のエンジン１００の作動開始を再始動という）するためにエンジン１００をクランキングするスタータ２００と、エンジン１００のクランクシャフトプーリとベルトで接続されたオルタネータ３００と、ライト、オーディオ、エアコンディショナのコンプレッサ等の補機負荷４００と、スタータ２００や補機負荷４００に電力を供給するバッテリ（二次電池）５００とを含む。なお、スタータ２００ではなくモータジェネレータであってもよいし、バッテリはエンジン１００停止時の電力供給のためのバッテリをさらに搭載していてもよい。
【００２８】
このようなハードウェア系を制御する制御系として、エコランシステムは、エコランＥＣＵ（Electronic Control Unit）２０００と、エンジンＥＣＵ３０００とを含む。
【００２９】
エコランＥＣＵ２０００には、ブレーキランプ信号と連動したブレーキが作動状態であることを示すブレーキ信号、変速機のシフトポジションを示すシフト信号がそれぞれ入力される。
【００３０】
エンジンＥＣＵ３０００には、アクセルペダルが踏まれていることを検知するアクセルスイッチ３１００からの信号、ステアリングが操作されていることを検知するＥＭＰＳ（（Electronic Motor Power Steering）センサ３２００からの信号、エンジン１００の回転数（ＮＥ）を検知するＮＥセンサ３３００からの信号およびエンジン１００の冷却水の温度（以下、冷却水温と記載する。）を検知する水温センサ３４００からの信号がそれぞれ入力される。
【００３１】
また、エコランＥＣＵ２０００からエンジンＥＣＵ３０００にエンジン１００の始動指令信号および停止指令信号が送信され、エンジンＥＣＵ３０００からエコランＥＣＵ２０００にセンサ信号が送信される。エンジンＥＣＵ３０００は、エコランＥＣＵ２０００から受信したエンジン１００の始動指令信号に基づいてスタータ２００に始動信号を送信して、スタータ２００がエンジン１００をクランキングしてエンジン１００が再始動する。
【００３２】
コンビネーションメータ１０００には、メータＥＣＵ１１００と、水温警告灯１２００とを含む。コンビネーションメータ１０００は、運転席に対向する位置に設けられる。メータＥＣＵ１１００は、水温センサ３４００からエンジンＥＣＵ３０００を介して受信する冷却水温に対応する検知信号に基づいて、水温警告灯１２００の表示を制御する。すなわち、メータＥＣＵ１１００は、水温警告灯１２００のマークを点灯させたり、消灯させたりする。
【００３３】
図２（Ａ）に示すように、コンビネーションメータ１０００は、スピードメータ１００２と、タコメータ１００４と、水温警告灯１２００とを含む。コンビネーションメータ１０００には、水温警告灯１２００の他、シートベルトの装着状態や、エアバッグ等の各種警告灯が設けられるが、特にこれらに限定されるものではない。
【００３４】
本実施の形態における水温警告灯１２００は、図２（Ｂ）に示すような１つのマークに対して、少なくとも青色を発光する。本発明において、水温センサ３４００により検知された冷却水温がアイドリングストップを許可する予め定められた温度（以下、エコラン許可水温と記載する。）以下であると、青色に発光し、検知された冷却水温がエコラン許可水温より高くなると、水温警告灯１２００が消灯する点に特徴を有する。なお、発光する色は、青色に特に限定されるものではない。
【００３５】
また、水温警告灯１２００は、水温３４００により検知された冷却水温が予め定められた警告温度以上の高温になると、赤色に発光するなどして変色して警告するようにしてもよいし、点滅状態にするなどして表示の態様を変えて警告するようにしてもよい。冷却水温の高温時の警告方法については、特にこれらに限定されるものではない。水温警告灯１２００は、たとえば、ＬＥＤ（Light-Emitting Diode）等を光源として構成されるが、特にこれに限定されるものではない。
【００３６】
以下、図３を参照して、本実施の形態に係る車両の表示装置であるコンビネーションメータ１０００のメータＥＣＵ１１００で実行されるプログラムの制御構造について説明する。
【００３７】
ステップ（以下、ステップをＳと記載する。）１０００にて、メータＥＣＵ１１００は、水温センサ３４００により検知された冷却水温が予め定められたエコラン許可水温より高いか否かを判断する。エンジン１００の冷却水温が予め定められたエコラン許可水温よりも高いと（Ｓ１０００にてＹＥＳ）、処理はＳ１２００に移される。もしそうでないと（Ｓ１０００にてＮＯ）、処理はＳ１１００に移される。
【００３８】
Ｓ１１００にて、メータＥＣＵ１１００は、情報を表示するように水温警告灯１２００を制御する。すなわち、メータＥＣＵ１１００は、水温警告灯１２００のマークを点灯させるようにＬＥＤを発光させる。
【００３９】
Ｓ１２００にて、メータＥＣＵ１１００は、少なくともエンジン１００の冷却水温についてアイドリングストップの条件を満足したことに基づいて、アイドリングストップが許可された状態であると判定する。なお、メータＥＣＵ１１００は、エコランＥＣＵ２０００からエンジンＥＣＵ３０００を介して、アイドリングストップが許可される予め定められた条件をすべて満足したことを示す許可信号を受信することに基づいて、アイドリングストップが許可された状態であると判定するようにしてもよい。「予め定められた条件」とは、たとえば、ブレーキペダルの操作量、アクセルペダルの操作量および車両の状態等であって、特に限定されるものではない。
【００４０】
Ｓ１３００にて、メータＥＣＵ１１００は、情報の表示を停止するように水温警告灯１２００を制御する。すなわち、メータＥＣＵ１１００は、水温警告灯１２００のマークを消灯させるようにＬＥＤの発光を停止させる。
【００４１】
以上のような構造およびフローチャートに基づく、本実施の形態に係る車両の表示装置であるコンビネーションメータ１０００のメータＥＣＵ１１００の動作について説明する。
【００４２】
運転者がイグニッションスイッチ（図示せず）をオンにすると、エンジン１００が起動する。エンジン１００が起動して、水温センサ３４００により検知された冷却水温がエコラン許可水温でないと（Ｓ１０００にてＮＯ）、水温警告灯１２００を青色で表示する（Ｓ１１００）。
【００４３】
エンジン１００の動作に応じて、エンジン１００の冷却水温が上昇する。水温センサ３４００により検知された冷却水温がエコラン許可水温より高くなると（Ｓ１０００にてＹＥＳ）、アイドリングストップが許可された状態であると判定され（Ｓ１２００）、水温警告灯１２００の表示が停止する（Ｓ１３００）。
【００４４】
以上のようにして、本実施の形態に係る車両の表示装置によると、水温警告灯は、車両の運転席に対向する位置に設けられるため、運転者は、水温警告灯において情報が表示されていると、アイドリングストップが禁止されている状態であり、さらに暖機が完了していないことがわかる。また、運転者は、水温警告灯において情報の表示が停止されると、少なくともエンジンの冷却水温について、アイドリングストップが許可されている状態であることがわかる。また、アイドリングストップが許可されているか否かを示す新たな表示装置を設ける必要がないため、コストおよび搭載スペースのの増加を抑制することができる。したがって、コスト増加を抑制しつつ、運転者がエンジンの一時的な停止条件を満足しているか否かを判断できる車両の表示装置を提供することができる。
【００４５】
好ましくは、エコラン許可水温は、暖機の完了を示すエンジン１００の冷却水温と兼ねる温度にすることが望ましい。このようにすると、運転者は、水温警告灯１２００の表示が停止することを確認することにより、少なくともエンジンの冷却水温についてアイドリングストップが許可された状態であり、さらに、暖機が完了した状態であることがわかる。
【００４６】
＜第１の実施の形態  変形例＞
以下、第１の実施の形態の変形例に係る車両の表示装置について説明する。本変形例に係る車両の表示装置は、上述した第１の実施の形態に係る車両の表示装置の構成と比較して、メータＥＣＵ１１００で実行されるプログラムが異なる点が異なる。それ以外の構成については、上述した第１の実施の形態に係る車両の表示装置の構成と同じである。それらについては同じ参照符号が付してある。それらの機能も同じである。したがって、それらについての詳細な説明はここでは繰り返さない。
【００４７】
本変形例において、水温センサ３４００により検知された冷却水温がエコラン許可水温以下であると、青色に発光し、検知された冷却水温がエコラン許可水温より高くなり、かつ、エンジンの暖機の完了を示す温度より高くなると、水温警告灯１２００が消灯する点に特徴を有する。エンジンの暖機の完了を示す温度は、エコラン許可水温よりも高い温度である。そのため、水温警告灯１２００の消灯により、運転者は、アイドリングストップが許可されている状態であり、さらにエンジンの暖機が完了したことがわかる。
【００４８】
以下、図４を参照して、本実施の形態に係る車両の表示装置であるコンビネーションメータ１０００のメータＥＣＵ１１００で実行されるプログラムの制御構造について説明する。
【００４９】
なお、図４に示したフローチャートの中で、前述の図３に示したフローチャートと同じ処理については同じステップ番号を付してある。それらについて処理も同じである。したがって、それらについての詳細な説明はここでは繰り返さない。
【００５０】
Ｓ１２５０にて、メータＥＣＵ１１００は、水温センサ３４００により検知されたエンジンの冷却水温が予め定められた水温警告灯消灯温度より大きいか否かを判断する。ここで、「水温警告灯消灯温度」とは、たとえば、暖機の完了を示す温度である。エンジン１００の冷却水温が水温警告灯消灯温度より大きいと（Ｓ１２５０にてＹＥＳ）、処理はＳ１３００に移される。もしそうでないと（Ｓ１２５０にてＮＯ）、処理はＳ１２５０に戻される。
【００５１】
以上のような構造およびフローチャートに基づく、本実施の形態に係る車両の表示装置であるコンビネーションメータ１０００のメータＥＣＵ１１００の動作について説明する。
【００５２】
運転者がイグニッションスイッチ（図示せず）をオンにすると、エンジン１００が起動する。エンジン１００が起動して、水温センサ３４００により検知された冷却水温がエコラン許可水温でないと（Ｓ１０００にてＮＯ）、水温警告灯１２００を青色で表示する（Ｓ１１００）。
【００５３】
エンジン１００の動作に応じて、エンジン１００の冷却水温が上昇する。水温センサ３４００により検知された冷却水温がエコラン許可水温より高くなると（Ｓ１０００にてＹＥＳ）、アイドリングストップが許可された状態であると判定される（Ｓ１２００）。そして、さらに冷却水温が上昇して、冷却水温が水温警告灯消灯温度より高くなると（Ｓ１２５０にてＹＥＳ）、水温警告灯１２００の表示が停止する（Ｓ１３００）。
【００５４】
以上のようにして、本変形例に係る車両の表示装置によると、上述した第１の実施の形態に係る車両の表示装置における効果に加えて、運転者が水温警告灯１２００の表示が停止することを確認することにより、エンジンの冷却水温についてアイドリングストップが許可されている状態であり、さらに、エンジンの暖機が完了した状態であることがわかる。
【００５５】
＜第２の実施の形態＞
以下、第２の実施の形態に係る車両の表示装置について説明する。本実施の形態に係る車両の表示装置は、上述した第１の実施の形態に係る車両の表示装置の構成と比較して、メータＥＣＵ１１００で実行されるプログラムが異なる点の他、水温警告灯１２００の構成が異なる。それ以外の構成については、上述した第１の実施の形態に係る車両の表示装置の構成と同じである。それらについては同じ参照符号が付してある。それらの機能も同じである。したがって、それらについての詳細な説明はここでは繰り返さない。
【００５６】
本実施の形態において、水温警告灯１２００は、図２（Ｂ）に示すような１つのマークに対して、少なくとも２つの表示の態様で発光する。「表示の態様」とは、たとえば、予め定められた間隔で点灯と消灯とを繰り返す点滅状態や点灯状態を示す。
【００５７】
以下、図５を参照して、本実施の形態に係る車両の表示装置であるコンビネーションメータ１０００のメータＥＣＵ１１００で実行されるプログラムの制御構造について説明する。
【００５８】
なお、図５に示したフローチャートの中で、前述の図３に示したフローチャートと同じ処理については同じステップ番号を付してある。それらについて処理も同じである。したがって、それらについての詳細な説明はここでは繰り返さない。
【００５９】
Ｓ２０００にて、メータＥＣＵ１１００は、水温警告灯１２００を点滅状態にする。点滅状態における点灯時間と消灯時間とは、同じ時間を設定してもよいし、予め定められた割合で設定してもよいし、特に限定されるものではない。
【００６０】
Ｓ２１００にて、メータＥＣＵ１１００は、水温センサ３４００により検知されたエンジン１００の冷却水温が予め定められた水温警告灯消灯温度より大きいか否かを判断する。ここで「水温警告灯消灯温度」とは、たとえば、暖機の完了を示す温度である。エンジン１００の冷却水温が水温警告灯消灯温度より大きいと（Ｓ２１００にてＹＥＳ）、処理はＳ１３００に移される。もしそうでないと（Ｓ２１００にてＮＯ）、処理はＳ２１００に戻される。
【００６１】
以上のような構造およびフローチャートに基づく、本実施の形態に係る車両の表示装置であるコンビネーションメータ１０００のメータＥＣＵ１１００の動作について説明する。
【００６２】
運転者がイグニッションスイッチ（図示せず）をオンにすると、エンジン１００が起動する。エンジン１００が起動して、水温センサ３４００により検知された冷却水温がエコラン許可水温でないと（Ｓ１０００にてＮＯ）、水温警告灯１２００を青色で表示する（Ｓ１１００）。
【００６３】
エンジン１００の動作に応じて、エンジン１００の冷却水温が上昇する。水温センサ３４００により検知された冷却水温がエコラン許可水温より高くなると（Ｓ１０００にてＹＥＳ）、アイドリングストップが許可された状態であると判定され（Ｓ１２００）、水温警告灯１２００の表示が点滅状態になる（Ｓ２０００）。水温センサ３４００により検知された冷却水温が水温警告灯消灯温度より高くなると（Ｓ２１００にてＹＥＳ）、水温警告灯１２００が消灯する（Ｓ１３００）。
【００６４】
以上のようにして、本実施の形態に係る車両の表示装置によると、水温警告灯は、エンジンの状態を表示する１つのマークに対して、少なくとも２つの態様で表示する。メータＥＣＵは、検知された冷却水温がエコラン許可水温より低いと、点灯状態で水温警告灯のマークを表示する。メータＥＣＵは、検知されたエンジンの冷却水温がエコラン許可水温より高くなると、すなわち、アイドリングストップが許可された状態になると、点滅状態で情報を表示する。メータＥＣＵは、検知されたエンジンの冷却水温が水温警告灯消灯温度より高くなると、情報の表示を停止する。水温警告灯は、車両の運転席に対向する位置に設けられるため、運転者は、水温警告灯が点灯状態で情報が表示されていると、アイドリングストップが禁止されている状態であり、かつ、エンジンの暖機が完了していない状態であることがわかる。また、運転者は、水温警告灯において、点滅状態で情報が表示されていると、アイドリングストップが許可されている状態であり、かつ、エンジンの暖機が完了していない状態であることがわかる。また、運転者は、水温警告灯による情報の表示が停止されると、アイドリングストップが許可されている状態であり、かつエンジンの暖機が完了している状態であることがわかる。冷却水温に応じて、１つのマークにおいて表示の態様を異なるようにすることにより、エンジンの暖機状態と、アイドリングストップが許可されている状態であるか否かを表示することができる。そのため、新たに表示装置を設ける必要がないため、コスト増加を抑制し、新たな表示装置を搭載するスペースを確保する必要もない。
【００６５】
＜第３の実施の形態＞
以下、第３の実施の形態に係る車両の表示装置について説明する。本実施の形態に係る車両の表示装置は、上述した第１の実施の形態に係る車両の表示装置の構成と比較して、メータＥＣＵ１１００で実行されるプログラムが異なる点の他、水温警告灯１２００の構成が異なる。それ以外の構成については、上述した第１の実施の形態に係る車両の表示装置の構成と同じである。それらについては同じ参照符号が付してある。それらの機能も同じである。したがって、それらについての詳細な説明はここでは繰り返さない。
【００６６】
本実施の形態において、水温警告灯１２００は、１つのマークに対して、少なくとも２つの色で発光する。水温警告灯１２００は、たとえば、１つのマークに対して異なる色を発光する２つのＬＥＤを光源として含むようにしてもよいし、３色（赤、青、緑）を組み合わせて複数の色を発光する３つのＬＥＤを光源として含むようにしてもよい。なお、本実施の形態における光源は、ＬＥＤに特に限定されるものではない。また、本実施の形態における水温警告灯１２００において、１つのマークに対して発光する色は、濃い青色と水色とに特に限定されるものではない。
【００６７】
以下、図６を参照して、本実施の形態に係る車両の表示装置であるコンビネーションメータ１０００のメータＥＣＵ１１００で実行されるプログラムの制御構造について説明する。
【００６８】
なお、図６に示したフローチャートの中で、前述の図３に示したフローチャートと同じ処理については同じ番号を付してある。それらについて処理も同じである。したがって、それらについての詳細な説明はここでは繰り返さない。
【００６９】
Ｓ３０００にて、メータＥＣＵ１１００は、濃い青色で点灯するように水温警告灯１２００を制御する。
【００７０】
Ｓ３１００にて、メータＥＣＵ１１００は、水温警告灯１２００のマークの色を濃い青色から水色に変更する。このとき、メータＥＣＵ１１００は、濃い青色を発光する光源を消灯して、水色を発光する光源を点灯するようにしてもよい。
【００７１】
以上のような構造およびフローチャートに基づく、本実施の形態に係る車両の表示装置であるコンビネーションメータ１０００のメータＥＣＵ１１００の動作について説明する。
【００７２】
運転者がイグニッションスイッチ（図示せず）をオンにすると、エンジン１００が起動する。エンジン１００が起動して、水温センサ３４００により検知された冷却水温がエコラン許可水温でないと（Ｓ１０００にてＮＯ）、水温警告灯１２００を濃い青色で表示する（Ｓ３０００）。
【００７３】
エンジン１００の動作に応じて、エンジン１００の冷却水温が上昇する。水温センサ３４００により検知された冷却水温がエコラン許可水温より高くなると（Ｓ１０００にてＹＥＳ）、アイドリングストップが許可された状態であると判定され（Ｓ１２００）、水温警告灯１２００の表示が濃い青色から水色に変更される（Ｓ３１００）。水温センサ３４００により検知された冷却水温が水温警告灯消灯温度より高くなると（Ｓ２１００にてＹＥＳ）、水温警告灯１２００が消灯する（Ｓ１３００）。
【００７４】
以上のようにして、本実施の形態に係る車両の表示装置によると、水温警告灯は、エンジンの状態を表示する１つのマークに対して、少なくとも２つの色を発光する。メータＥＣＵは、検知されたエンジンの冷却水温がエコラン許可水温より低いと、濃い青色で水温警告灯のマークを表示する。メータＥＣＵは、検知されたエンジンの冷却水温がエコラン許可水温より高くなると、すなわち、アイドリングストップが許可されると、水色で水温警告灯のマークを表示する。メータＥＣＵは、検知されたエンジンの冷却水温が水温警告灯消灯温度より高くなると、マークの表示を停止する。水温警告灯は、車両の運転席に対向する位置に設けられるため、運転者は、水温警告灯において濃い青色でマークが表示されていると、アイドリングストップが禁止されている状態であり、かつ、エンジンの暖機が完了していない状態であることがわかる。また、運転者は、水温警告灯において、水色でマークが表示されていると、アイドリングストップが許可されている状態であり、かつ、エンジンの暖機が完了していない状態であることがわかる。また、運転者は、水温警告灯によるマークの表示が停止されると、アイドリングストップが許可されている状態であり、かつエンジンの暖機が完了している状態であることがわかる。冷却水温に応じて、１つのマークにおいて発光する色を異なるようにすることにより、エンジンの暖機状態と、アイドリングストップが許可されている状態であるか否かを表示することができる。そのため、新たに表示装置を設ける必要がないため、コスト増加を抑制し、新たな表示装置を搭載するスペースを確保する必要もない。
【００７５】
＜第４の実施の形態＞
以下、第４の実施の形態に係る車両の表示装置について説明する。本実施の形態に係る車両の表示装置は、上述した第１の実施の形態に係る車両の表示装置の構成と比較して、メータＥＣＵ１１００で実行されるプログラムが異なる点の他、コンビネーションメータ１０００が水温警告灯１２００に代えて水温メータ１３００を含む点が異なる。それ以外の構成については、上述した第１の実施の形態に係る車両の表示装置の構成と同じである。それらについては同じ参照符号が付してある。それらの機能も同じである。したがって、それらについての詳細な説明はここでは繰り返さない。
【００７６】
本実施の形態において、コンビネーションメータ１０００は、図７に示すように、メータＥＣＵ１１００と、水温メータ１３００とを含む。水温メータ１３００は、水温センサ３４００により検知された冷却水温に対応する領域を指し示すように変化する。すなわち、図８に示すように、水温メータ１３００は、予め定められた領域を示す目盛り１３０４と、予め定められた領域を指し示すように変化する回転指針１３０２とを含む。「予め定められた領域」とは、図中低温側を示す「Ｃ」付近から高温側を示す「Ｈ」付近までの領域であるが特に限定されるものではない。水温メータ１３００は、メータＥＣＵ１１００からの水温センサ３４００により検知された冷却水温の検知信号を受信して、回転指針１３０２が検知された冷却水温に対応する領域を指し示すように変化する。
【００７７】
本発明においては、水温メータ１３００には、予め定められたエコラン許可温度よりも低い領域が強調して表示される点に特徴を有する。本実施の形態において、目盛り１３０４のエコラン許可水温より小さい温度の領域１３０６が青色で強調して表示される。
【００７８】
以上のような構造およびフローチャートに基づく、本実施の形態に係る車両の表示装置であるコンビネーションメータ１０００の作用について説明する。
【００７９】
運転者がイグニッションスイッチ（図示せず）をオンにすると、エンジン１００が起動する。エンジン１００が起動すると、水温センサ３４００により検知された冷却水温に応じて、水温メータ１３００の回転指針が変化する。たとえば、冷間におけるエンジン１００の起動を想定すると、回転指針１３０２は、目盛り１３０４における「Ｃ」付近を指し示している。すなわち、エンジン１００の動作（暖機）に応じて、回転指針１３０２は、冷却水温の上昇に応じて「Ｈ」側に変化する。このとき、水温センサ３４００により検知された水温がエコラン許可水温よりも低いときには、回転指針１３０２は、目盛り１３０４における青色表示で強調された領域１３０６を指し示す。そして、水温センサ３４００により検知された水温がエコラン許可水温よりも高くなると、回転指針１３２は、目盛り１３０４における青色表示で強調された領域１３０６よりも「Ｈ」側の領域を指し示す。
【００８０】
以上のようにして、本実施の形態に係る車両の表示装置によると、冷却水温が予め定められた第１の温度より高くなり、かつ、車両の状態が予め定められた条件を満足すると、エンジンの一時的な停止が許可される。冷却水温の水温メータは、車両の運転席に対向する位置に設けられる。水温メータは、検知された冷却水温に対応する領域を指し示すように変化する。水温メータには、予め定められた温度よりも低い領域が強調して表示される。水温メータは、車両の運転席に対向する位置に設けられるため、運転者は、水温メータの回転指針により指し示される冷却水温に対応する領域が予め定められた温度より低い、強調された領域であると、アイドリングストップが禁止されている状態であることがわかる。また、運転者は、水温メータの回転指針により指し示される冷却水温に対応する領域が予め定められた温度よりも高い、強調されていない領域になると、冷却水温について、アイドリングストップが許可されている状態であることがわかる。また、従来の水温メータを流用することができるため、新たに表示装置を設ける必要がなく、コストおよび搭載スペースの増加を抑制することができる。したがって、コスト増加を抑制しつつ、運転者がエンジンの一時的な停止条件を満足しているか否かを判断できる車両の表示装置を提供することができる。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８２】
１００  エンジン、２００  スタータ、３００  オルタネータ、４００  補機負荷、５００  バッテリ、１０００  コンビネーションメータ、１１００  メータＥＣＵ、１２００  水温警告灯、１３００  水温メータ、２０００  エコランＥＣＵ、３０００  エンジンＥＣＵ、３１００  アクセルスイッチ、３２００  ＥＭＰＳセンサ、３３００  ＮＥセンサ、３４００  水温センサ。
【図１】
2010001023.tif 000003
【図２】
2010001023.tif 000004
【図３】
2010001023.tif 000005
【図４】
2010001023.tif 000006
【図５】
2010001023.tif 000007
【図６】
2010001023.tif 000008
【図７】
2010001023.tif 000009
【図８】
2010001023.tif 000010